(57)【要約】【課題】仕様が変わっても金型を変更する必要が無く、コストの安い樹脂製ボビンを提供する。【解決手段】糸状物を巻き付ける筒状のボビン本体９と、前記糸状物の脱落を防止するため前記ボビン本体の幅方向の端部で形成されたフランジ５とを少なくとも有する樹脂製ボビン１において、前記ボビン本体９が仕切り板３を有し、該仕切り板３によってボビン本体９が少なくとも二つの区画１６，１７を有し、その区画が良品巻き付け部と不良品巻き付け部であり、さらに前記フランジ５の少なくとも一方には少なくとも一つの切欠き１０を有する樹脂製ボビン１である。【選択図】図１
2009227361.tif 000002
【特許請求の範囲】
【請求項１】
糸状物を巻き付ける筒状のボビン本体と、前記糸状物の脱落を防止するため前記ボビンの幅方向の端部で形成されたフランジとを少なくとも有する樹脂製ボビンにおいて、前記ボビン本体が仕切り板を有し、該仕切り板によってボビン本体が少なくとも二つの区画を有し、さらに前記フランジの少なくとも一方には少なくとも一つの切欠きを有することを特徴とする樹脂製ボビン。
【請求項２】
前記仕切り板は、前記フランジよりも少なくとも外径の小さい円板状で、前記仕切り板には少なくとも一つの切り欠きを有する請求項１に記載の樹脂製ボビン。
【請求項３】
前記二つの区画がそれぞれ良品巻き付け部と不良品巻き付け部である請求項１又は２に記載の樹脂製ボビン。
【請求項４】
前記仕切り板とフランジとは少なくとも内周側と外周側に位置する二つの係合孔を有し、前記二つの係合孔を結ぶ直線が円の中心点に向かう放射線状とはなっていない請求項から３のいずれかに記載の樹脂製ボビン。
【請求項５】
前記仕切り板とフランジとが仕切り板の外周側の孔とフランジの内周側の孔とを係合手段で係合した請求項４に記載の樹脂製ボビン。
【請求項６】
前記フランジは円板を４分割した扇形のドラムであって、該ドラムを周方向に連結したものであり、前記仕切り板は前記ドラムを一部切除し、前記フランジとボビン本体幅方向に連結したものである請求項１から５のいずれかに記載の樹脂製ボビン。
【請求項７】
前記ドラムは、外周側と内周側に位置する少なくとも二つの係合孔を有し、該二つの係合孔を結ぶ直線は、該扇形の中心線と平行であり、前記仕切り板の外周側の孔と前記ドラムの内周側の孔とを係合手段にて係合した請求項６に記載の樹脂製ボビン。
【発明の詳細な説明】
【技術分野】
【０００１】
本発明は糸状物を巻き付けるための樹脂製ボビンに関する。
【背景技術】
【０００２】
直径が少なくとも５００ｍｍ以上ある大型ボビンは木製となっており、それ以下の外径を有するボビンは、樹脂製の製品となっている。大型の木製ボビンは破損した際には一部分の修理では対応できなく、全く新しいものに交換しなければならなかった。又、一体成形品の樹脂ボビンは、金型コストが掛かると共に、寸法が少し変更になれば、新しい金型から作り直さねばならなかった。
【０００３】
又、ボビンの要求としては、少なくとも２種類の要求があり、糸状物の製造初期に不良品が大量に発生し、有る程度不良品を巻いた後に、良品を巻かねばならず、不良品の糸状物と良品の糸状物をボビン上で区別する必要があった。
【０００４】
又一方では、糸状物の製造初期に不良品は発生しない場合には、そういった区別をする必要がなかった。
【発明の開示】
【発明が解決しようとする課題】
【０００５】
こういった用途の異なるものに対して、仕様を変える必要があり、仕様を変えるために金型も変える必要が生じ、コスト高になっていた。
【０００６】
本発明はこのような問題点を解決するものであり、仕様が変わっても金型を変更する必要が無く、コストの安い樹脂製ボビン及びその製造方法を提供することを目的とする。
【課題を解決するための手段】
【０００７】
本願請求項１記載の発明は、糸状物を巻き付ける筒状のボビン本体と、前記糸状物の脱落を防止するため前記ボビンの幅方向の端部で形成されたフランジとを少なくとも有する樹脂製ボビンにおいて、前記ボビン本体が仕切り板を有し、該仕切り板によってボビン本体が少なくとも二つの区画を有し、さらに前記フランジの少なくとも一方には少なくとも一つの切り欠けを有する樹脂製ボビンである。
【０００８】
請求項２記載の発明は、前記仕切り板は、前記フランジよりも少なくとも外径の小さい円板状で、前記仕切り板には少なくとも一つの切り欠きを有する請求項１に記載の樹脂製ボビンである。
【０００９】
請求項３記載の発明は、前記二つの区画がそれぞれ良品巻き付け部と不良品巻き付け部である請求項１又は２に記載の樹脂製ボビンである。
【００１０】
請求項４記載の発明は、前記仕切り板とフランジとは少なくとも内周側と外周側に位置する二つの係合孔を有し、前記二つの係合孔を結ぶ直線が円の中心点に向かう放射線状とは異なる請求項１から３のいずれかに記載の樹脂製ボビンである。
【００１１】
請求項５記載の発明は、前記仕切り板とフランジとが仕切り板の外周側の孔とフランジの内周側の孔とを係合手段で係合した請求項４に記載の樹脂製ボビンである。
【００１２】
請求項６に記載の発明は、前記フランジは円板を４分割した扇形のドラムであって、該ドラムを周方向に連結したものであり、前記仕切り板は前記ドラムを一部切除し、前記フランジとボビン本体幅方向に連結したものである請求項１から５のいずれかに記載の樹脂製ボビンである。
【００１３】
請求項７に記載の発明は、前記ドラムは、外周側と内周側に位置する少なくとも二つの係合孔を有し、該二つの係合孔を結ぶ直線は、該扇形の中心線と平行であり、前記仕切り板の外周側の孔と前記ドラムの内周側の孔とを係合手段にて係合した請求項６に記載の樹脂製ボビンである。
【発明の効果】
【００１４】
請求項１記載の発明によれば、糸状物を巻き付ける筒状のボビン本体と、前記糸状物の脱落を防止するため前記ボビンの幅方向の端部で形成されたフランジとを少なくとも有する樹脂製ボビンにおいて、前記ボビン本体が仕切り板を有し、該仕切り板によってボビン本体が少なくとも二つの区画を有し、さらに前記フランジの少なくとも一方には少なくとも一つの切り欠けを有する樹脂製ボビンであることから、製造始めに不良品が発生する糸状物であっても、製造始めの不良品と、その後の良品とを区別した区画内で巻くことができる。
【００１５】
請求項２記載の発明によれば、前記仕切り板は、前記フランジよりも少なくとも外径の小さい円板状で、前記仕切り板には少なくとも一つの切り欠きを有する請求項１に記載の樹脂製ボビンであることから、ボビンを地面で転がして使用する場合に仕切り板が障害とならないという効果が有る。
【００１６】
請求項３に記載の発明によれば、前記二つの区画がそれぞれ良品巻き付け部と不良品巻き付け部である請求項１又は２に記載の樹脂製ボビンであることから、良品部と不良品部を明確に区別でき、不良品のみ除去することができる。
【００１７】
請求項４記載の発明によれば、前記仕切り板とフランジとは少なくとも内周側と外周側に位置する二つの係合孔を有し、前記二つの係合孔を結ぶ直線が円の中心点に向かう放射線状とはなっていない請求項１から３のいずれかに記載の樹脂製ボビンであることから、前記仕切り板がフランジよりも中心に入っている場合でも、仕切り板の外周側の係合孔とフランジの内周側の係合孔とを合わせて係合することができる。
【００１８】
請求項５に記載の発明によれば、前記仕切り板とフランジとが仕切り板の外周側の孔とフランジの内周側の孔とを係合手段で係合した請求項４に記載の樹脂製ボビンであることから、糸状部材の不良箇所を巻いた部分と、良品箇所を巻いた部分とを区分することができるという効果がある。
【００１９】
請求項６に記載の発明によれば、前記フランジは円板を４分割した扇形のドラムであって、該ドラムを周方向に連結したものであり、前記仕切り板は前記ドラムを一部切除し、前記フランジとボビン本体幅方向に連結したものである請求項１から５のいずれかに記載の樹脂製ボビンであることから、フランジと仕切り板は同じものから作製することができ、複数の金型や成形機が不要となる効果が有る。
【００２０】
請求項７に記載の発明によれば、前記ドラムは、外周側と内周側に位置する少なくとも二つの係合孔を有し、該二つの係合孔を結ぶ直線は、該扇形の中心線と平行であり、前記仕切り板の外周側の孔と前記ドラムの内周側の孔とを係合手段にて係合した請求項６に記載の樹脂製ボビンであることから、前記仕切り板がフランジよりも中心に入っている場合でも、仕切り板の外周側の係合孔とフランジの内周側の係合孔とを合わせて係合することができる。
【発明を実施するための最良の形態】
【００２１】
本発明に係る樹脂ボビンは、図１に示すような円板状の仕切り板３があるタイプと、図２のような仕切り板のないものに分かれる。図１の仕切り板のあるタイプは、若干仕切り板３の外径をフランジ５の外径よりも小さくしている。好ましくは、フランジ５よりも仕切り板３の方が１０〜２０ｍｍ内側に入り込んでいる方が良い。そうすることによって当該ボビンを地面を転がして使用する場合に仕切り板が障害とならないという効果がある。
【００２２】
図１に示すタイプの樹脂製ボビン１は、糸状物を巻き始めは、前記フランジ５と仕切り板３との間の不良品巻きつけ部６に糸状物を巻き付ける。そして、糸状物が良品に変わってくるとボビン本体８に誘導して、ボビン本体８に巻き付ける。そして、良品の巻き付け後、フランジ５の切欠き１０の部分から刃物を挿入して不良品を切断し、回収することができる。
【００２３】
樹脂製ボビン１の材料としては、熱可塑性樹脂であれば特に限定は無く、ポリエチレン、ポリプロピレン、ポリ塩化ビニル、ポリスチレン、ポリ酢酸ビニル、ＡＢＳ樹脂、アクリル樹脂、ノリル等の樹脂が使用できる。
【００２４】
又、前記フランジは図３に示すように、円板部材を４等分にした扇状のドラム７を４つ組み合わせて用いられる。該ドラムは、円周方向で連結されて円板状のフランジ５となる。又、前記ドラム７には、前記ドラム７の内周側と外周側に位置する少なくとも二つの係合孔９，１１が設けられている。該外周側と内周側に設けた係合孔を直線で結んだときに、その直線は図４に示したように、扇形の中心線１３と平行となるようにする。
【００２５】
更に、前記ドラム７の一部分を切除しツバ１５とし、前記ツバ１５をドラム７に係合することによって仕切り板３を作製する。ツバ１５とドラム７を係合する際に、ツバ１５の外周側の係合孔１１と、ドラム７の内周側の係合孔９とを合わせて、長螺子やボルトといった係合手段にて固定する。前記ドラム７及びツバ１５に設けられた係合孔９，１１間の距離は、仕切り板３がフランジ５よりも入り込む寸法に合わせる。また、前記係合孔９，１１間を結んだ線が扇形であるドラム７の中心線と平行となることから、ツバ１５の外周側の係合孔１１とドラム７の内周側の係合孔とが合致する。
【００２６】
これらのことより、フランジ５と仕切り板３とは同じ金型から製造することができ、複数の金型が不要となり、コスト低減ができる。
【図面の簡単な説明】
【００２７】
【図１】本発明に係る樹脂ボビンの斜視図である。
【図２】本発明に係る他の樹脂ボビンの斜視図である。
【図３】本発明に係るドラムとツバの斜視図である。
【図４】本発明に係るドラムの斜視図である。
【符号の説明】
【００２８】
１    樹脂ボビン
３    仕切り板
５    フランジ
７    ドラム
８    ボビン本体
９    係合孔
１０  切欠き
１１  係合孔
１３  中心線
１５  ツバ
１６  良品巻き付け部
１７  不良品巻き付け部
【図１】
2009227361.tif 000003
【図２】
2009227361.tif 000004
【図３】
2009227361.tif 000005
【図４】
2009227361.tif 000006